(57)【特許請求の範囲】
【請求項１】
待機モードの設定及び解除が可能な複数種の撮影部と、前記複数種の撮影部に接続され、個々の撮影部を制御する制御装置と、を有する放射線撮影装置において、
前記制御装置は、前記複数種の撮影部の待機モードを解除すると共に、各撮影部の非使用時間が、個々の撮影部ごとに設定された所定時間を超えたことに応じて、各撮影部個々に待機モードを設定することを特徴とする放射線撮影装置。
【請求項２】
前記制御装置は、撮影オーダの入力に基づいて、前記複数種の撮影部の待機モードを解除することを特徴とする請求項１に記載の放射線撮影装置。
【請求項３】
前記制御装置は、各撮影部の使用頻度に応じて、前記所定時間を各撮影部ごとに決定することを特徴とする請求項１又は２に記載の放射線撮影装置。
【発明の詳細な説明】
【０００１】
【発明の属する技術分野】
本発明は、放射線撮影装置に関し、特に、放射線照射部から照射された放射線に応じて、人体内部組織の画像を撮影可能な放射線撮影装置に関する。
【０００２】
【従来の技術】
病気やケガの検査のため、Ｘ線などの放射線を用いて患者の人体内部組織を撮影する放射線撮影装置が知られている。このような放射線撮影装置において、省電力や消耗品保護の観点から、一定時間使用されない場合に待機モードが自動的に設定されるようになっているものがある。
【０００３】
【発明が解決しようとする課題】
ところで、放射線撮影装置のあるタイプにおいては、一つの制御装置を用いて複数の撮影部を制御するものがある。かかる場合、例えば一つの撮影部を一定時間不使用であることから、放射線撮影装置全体に待機モードが設定されると、別な撮影部で撮影を行おうとしていたときに、それが不能となるため好ましくない。しかしながら、長時間不使用であるような撮影部は、待機モードを設定した方が、省電力などの観点から好ましいといえる。
【０００４】
本発明は、かかる従来技術の問題点に鑑みてなされたものであり、待機モードを適切に解除できる放射線撮影装置を提供することを目的とする。
【０００５】
【課題を解決するための手段】
（１） 本発明の放射線撮影装置は、待機モードの設定及び解除が可能な複数種の撮影部と、前記複数種の撮影部に接続され、個々の撮影部を制御する制御装置と、を有する放射線撮影装置において、前記制御装置は、前記複数種の撮影部の待機モードを解除すると共に、各撮影部の非使用時間が、個々の撮影部ごとに設定された所定時間を超えたことに応じて、各撮影部個々に待機モードを設定するので、例えば使用されない撮影部は待機モードを設定することで、省電力やＣＲＴなどの消耗品の延命を図り、使用されている又は使用する可能性が高い撮影部に関しては、待機モードを設定しないことで、撮影を迅速に行うことができる。
【０００６】
（２） 更に、前記制御装置は、撮影オーダの入力に基づいて、前記複数種の撮影部の待機モードを解除する。それにより撮影の迅速化を図ることができる。
【０００７】
（３） 更に、前記制御装置は、各撮影部の使用頻度に応じて、前記所定時間を各撮影部ごとに決定するので、例えば使用頻度の高い撮影部は、前記所定時間を長く設定することで、待機モードが設定されにくくし、それにより撮影の迅速化を図り、一方、使用頻度の低い撮影部は、前記所定時間を短く設定することで、待機モードが設定されやすくし、それにより省電力を図ることができる。
【０００８】
【発明の実施の形態】
以下、本発明の実施の形態について、図面を参照して説明する。図１は、本実施の形態にかかる放射線撮影装置を含むネットワークシステムの概略構成図である。
【０００９】
図１において、病院内で、互いにネットワークＮにより接続されたサーバー１と制御装置２とは、ネットワークシステムの一部を構築している。制御装置２は、第１の放射線照射部３と、それに対応づけられた第１の撮影部４と、第２の放射線照射部５と、それに対応づけられた第２の撮影部６とにそれぞれ接続され、これらと共に放射線撮影装置を構成している。
【００１０】
第１の撮影部４及び第２の撮影部６内には、放射線画像をデジタル画像データに変換する変換装置が組み込まれているが、かかる装置自体は公知であるため、以下に詳細は記載しない。尚、変換装置の代わりに、撮影部４，６内に旧来の放射線フィルムを配置しても良い。
【００１１】
次に、本実施の形態の動作について説明する。ここで、省電力やディスプレイなどの延命を図るため、本実施の形態の放射線撮影装置においては、一定時間使用されない場合に、待機モードが自動的に設定され、主電源の供給停止やＣＲＴの表示停止などが行われる。尚、待機モード時に、制御装置２は、メインＣＰＵ（不図示）が動作を停止するが、サブＣＰＵ（不図示）は動作するようになっている。
【００１２】
更に、例えば病院の事務室内に設置されたサーバー１には、撮影の予約情報が入力されており、適時これを撮影室側に配置された制御装置２へと送信できるよになっている。
【００１３】
しかるに、待機モードが設定された放射線撮影装置において、ネットワークＮを介してサーバー１より撮影オーダが入力された場合、サブＣＰＵが応動し、待機モードを解除するため、すぐに撮影準備を開始することができる。但し、制御装置２が、撮影部４，６に接続されていなければ、待機モードを解除しても、直ちに撮影はできないので、撮影部４，６に接続されている場合に限り、待機モードを解除するようにしても良い。
【００１４】
ここで、制御装置２は、撮影部４，６の使用時間と使用頻度とをカウントして記憶可能となっている。ここで、撮影部４に関しては、比較的使用頻度が高いが、撮影部６に関しては、比較的使用頻度が低いものとする。そこで、制御装置２は、使用頻度が高い撮影部４に関しては、待機モードが設定される非使用時間（所定時間）を長く、例えば３０分に設定し、使用頻度が低い撮影部６に関しては、待機モードが設定される不使用時間（所定時間）を短く、例えば１５分に設定する。
【００１５】
すなわち本実施の形態によれば、制御装置２が、各撮影部４，６において非使用時間が、個々に定められた所定時間を超えたことに応じて、各撮影部４，６個々に待機モードを設定するので、例えば使用されない可能性の高い撮影部６は待機モードを早めに設定することで、省電力やＣＲＴなどの消耗品の延命を図り、使用されている又は使用する可能性が高い撮影部４に関しては、待機モードを設定しないことで、撮影を迅速に行うことができる。
【００１６】
但し、制御装置２は、所定時間の決定に、使用頻度を加味することができる。例えば、昨日は、撮影部６の使用頻度が低かったが、本日は使用頻度が高いと判断した場合、制御装置２は、撮影部６の所定時間を長く（例えば１５分から３０分に）変更することができる。
【００１７】
加えて、制御装置２は、１週間のスケジュールで、所定時間を変更できる。病院においては、担当医の曜日が決められている場合があり、例えば内科の医者が担当する曜日は、撮影部４の所定時間を長めに設定し、外科の医者が担当する曜日は、撮影部６の所定時間を長めに設定することが考えられる。更に、日曜日、祝日など病院が原則的に開院していない日は、いずれの撮影部４，６も所定時間を短く設定すると好ましい。
【００１８】
尚、制御装置２は、撮影部４，６を制御する機能を有するので、撮影部４，６全てに待機モードが設定された後、所定時間経過後に待機モードが設定されるようにするのが好ましい。但し、撮影部４，６以外に制御装置２が用いられない場合には、最後の撮影部に待機モードが設定されるのと同時に、制御装置２に待機モードが設定されるようにしても良い。
【００１９】
図２は、本実施の形態である放射線撮影装置の概略構成を示す図である。図２に示すように、放射線撮影装置５０は、撮影部４，６と制御装置（コントローラ）２とを備える。
【００２０】
撮影部４，６は、駆動源１Ａに駆動されたＸ線源（放射線照射部）３，５からＸ線が照射された場合、このＸ線エネルギーの一部が蓄積され、その後、可視光やレーザ光等の励起光を照射すると蓄積されたＸ線エネルギーに応じて輝尽発光を示す輝尽性蛍光体を利用して、支持体上に蓄積性蛍光体を積層してなるプレート状の輝尽性蛍光体プレート１０４に、Ｘ線照射装置１Ｂから照射されたＸ線による人体等の被写体の放射線画像（Ｘ線透過平面像）情報を一旦蓄積記録したものに、レーザ光を走査して順次輝尽発光させ、この輝尽発光光を光電読取部２０により光電的に順次読み取って画像信号を得るものである。そして、撮影部４，６は、この画像信号読取り後の蓄積性蛍光体プレート１０４に消去光を照射して、このプレートに残留するＸ線エネルギーを放出させ、次の撮影に備える。
【００２１】
この撮影部４，６は、被写体である被検体Ｐの放射線画像情報を輝尽性蛍光体プレート１０４と、輝尽性蛍光体プレート１０４に対する励起光としてのレーザ光を発生するレーザダイオード等からなるレーザ光源部１０６と、レーザ光源部１０６を駆動するためのレーザ駆動回路１０５と、レーザ光源部１０６からのレーザ光を輝尽性蛍光体プレート１０４上に走査させるための光学系１０７と、励起レーザ光により励起された輝尽発光を集光し、光電変換し、画像信号を得る光電読取部２０とを有する。光電読取部２０は、励起レーザ光により励起された輝尽発光を集光する集光体１０８と、集光体１０８により集光された光を光電変換するフォトマルチプライヤ（光電子倍増管）１０と、フォトマルチプライヤ１０に電圧を加える高圧電源１０ａと、フォトマルチプライヤ（光電子倍増管）１０からの電流信号を、電流電圧変換・電圧増幅・Ａ／Ｄ変換などにより、デジタル信号に変換する変換部１１と、この変換部１１により変換されたデジタル信号を補正する補正部１２と、この補正部１２で補正されたデジタル信号を送信する画像送信部１３とを有し、読み取った放射線画像情報のデジタル信号をコントローラ２に送信する。なお、補正部１２は、RISCプロセッサで構成され、デジタル信号の応答遅れやムラなどを補正する。
【００２２】
撮影部４，６は、更に、画像信号読取後の蓄積性蛍光体プレート１０４に残留するＸ線エネルギーを放出させるために、消去光を照射するハロゲンランプ１４と、このハロゲンランプ１４を駆動するドライバ１５とを有する。また、撮影部４，６は、レーザ駆動回路５、高圧電源１０ａ、変換部１１、補正部１２、画像送信部１３、及び、ドライバ１５をそれぞれ制御する制御部１７を有する。また、撮影部４，６のレーザ光源部１０６、光学系１０７、集光体１０８、フォトマルチプライヤ１０及びハロゲンランプ１４は、図示しない副走査ユニットとして一体的に、不図示のボールねじ機構により、レーザ走査方向と垂直な副走査方向に移動する。この副走査ユニットは、画像読取時に、移動することにより副走査し、復動する間に、ハロゲンランプ１４が発光することにより消去する。
【００２３】
制御装置２は、パソコン本体部２５と、キーボード２６と、モニタ表示部２７とを有し、撮影部４，６から受信した放射線画像情報のデジタル信号を一旦、メモリ上に記憶し、画像処理し、キーボード２６からの操作入力に応じて、モニタ表示部２７への表示と画像処理を制御し、画像処理された放射線画像情報を出力する。
【００２４】
以上、本発明を実施の形態を参照して説明してきたが、本発明は上記実施の形態に限定して解釈されるべきではなく、適宜変更・改良が可能であることはもちろんである。例えば、撮影部は３つ以上設けられていても良い。
【００２５】
【発明の効果】
本発明によれば、待機モードを適切に解除できる放射線撮影装置を提供することができる。
【図面の簡単な説明】
【図１】本実施の形態にかかる放射線撮影装置を含むネットワークシステムの概略構成図である。
【図２】本実施の形態である放射線撮影装置の概略構成を示す図である。
【符号の説明】
１    サーバー
２    制御装置
３    第１の放射線照射部
４    第１の撮影部
５    第２の放射線照射部
６    第２の撮影部
【図１】
0004591804.tif 000002
【図２】
0004591804.tif 000003